(57)【特許請求の範囲】
【請求項１】
白黒画像を表示する白黒表示モードと、
カラー画像を表示するカラー表示モードと、を備え、
前記白黒表示モードにおいて白黒画像である第一の画像を表示し、前記カラー表示モードにおいて前記第一の画像の一部の領域のみを抽出したカラー画像である第二の画像を前記第一の画像とはタイミングをずらして連続的に複数回表示することにより、前記第一の画像と前記第二の画像とが視覚的に重畳された合成画像を表示し、
連続的に複数回表示する前記第二の画像の内容および色は、互いに同じである、
ことを特徴とする画像表示装置。
【請求項２】
前記第二の画像は、前記第一の画像に含まれる物体の輪郭を抽出した画像であることを特徴とする請求項１に記載の画像表示装置。
【請求項３】
前記第二の画像は、赤、緑、青のうち何れか一色のみの画像であることを特徴とする請求項１又は２に記載の画像表示装置。
【請求項４】
前記第一の画像を連続的に複数回表示した後、そのうち最後に表示した前記第一の画像の一部の領域のみを抽出した前記第二の画像を、最後に表示した前記第一の画像とはタイミングをずらして表示することにより、最後に表示した前記第一の画像と前記第二の画像とが視覚的に重畳された合成画像を表示する、ことを特徴とする請求項１〜３の何れか一つに記載の画像表示装置。
【請求項５】
前記画像表示装置は、フィールドシーケンシャル方式の画像表示装置であることを特徴とする請求項１〜４の何れか一つに記載の画像表示装置。
【請求項６】
前記画像表示装置は、液晶表示装置であることを特徴とする請求項１〜５の何れか一つに記載の画像表示装置。
【発明の詳細な説明】
【技術分野】
【０００１】
本発明は、画像表示装置に関するものである。
【背景技術】
【０００２】
昨今のデジタルカメラ等に搭載される画像表示装置として、赤（Ｒ）、緑（Ｇ）、青（Ｂ）の各色の光源を同時に点灯させることにより生成した白色光を用いて白黒画像を表示するフィールドシーケンシャル方式の画像表示装置が知られている（例えば、特許文献１、２参照）。
【０００３】
図２は、従来の画像表示装置における光源の点灯タイミングと表示される画像との関係を示すタイミングチャートである。従来の画像表示装置は、例えば、反射型の液晶パネルと、その液晶パネルの画像表示領域へ赤（Ｒ）、緑（Ｇ）、青（Ｂ）の各色の光を供給する複数の光源（ＬＥＤ等）とを備え、フィールドシーケンシャル方式により白黒画像を表示するように構成されている。従来の画像表示装置において白黒画像を表示する際には、図２中にＦｒａｍｅと表記されているような１フレーム期間において、液晶パネルの画像表示領域内にある各画素へ１フレーム分の画像データを書き込み、それが完了した時点で赤（Ｒ）、緑（Ｇ）、青（Ｂ）の各色の光源を同時に一定期間点灯させて白色光を発光させることにより、１フレーム分の白黒画像を表示し、それと同様の動作を１フレーム単位で繰り返すことにより、互いに連続した一連の白黒画像を表示する。
【先行技術文献】
【特許文献】
【０００４】
【特許文献１】特許第３６７３３１７号公報
【特許文献２】特許第４０４７３３３号公報
【発明の概要】
【発明が解決しようとする課題】
【０００５】
昨今のデジタルカメラ等の中には、撮影者の利便性を向上させることを目的として、そこに搭載されている画像表示装置の画面内でカメラのフォーカスが合っている物体の輪郭（エッジ）をその周辺とは異なる色で表示して強調する所謂ピーキングと呼ばれる機能を備えたものがある。
【０００６】
ピーキング機能では、１つの画像の中で特定の領域のみを部分的に異なる色で表示しなければならないが、カメラに搭載されている画像表示装置が、各画素に設けられた赤（Ｒ）、緑（Ｇ）、青（Ｂ）のカラーフィルターを用いてカラー画像を表示する所謂カラーフィルター方式の画像表示装置であれば、任意の色を一画素単位で独立して表現することができることから、白黒画像の中に物体の輪郭のみをカラー画像として表示するようなピーキング機能をも容易に実現することが可能である。
【０００７】
しかしながら、フィールドシーケンシャル方式の画像表示装置においては、原理的に白黒画像とカラー画像を同時に表示することができないため、そのような白黒画像の中に物体の輪郭のみをカラー画像として表示するようなピーキング機能は、現時点において未だ実現されていない状況である。
【０００８】
本発明は、以上のような状況に鑑みてなされたもので、フィールドシーケンシャル方式の画像表示装置においても白黒画像の中に物体の輪郭のみをカラー画像として表示するようなピーキング機能を実現することが可能な画像表示装置を提供することを目的とする。
【課題を解決するための手段】
【０００９】
白黒画像を表示する白黒表示モードと、カラー画像を表示するカラー表示モードと、を備え、前記白黒表示モードにおいて白黒画像である第一の画像を表示し、前記カラー表示モードにおいて前記第一の画像の一部の領域のみを抽出したカラー画像である第二の画像を前記第一の画像とはタイミングをずらして連続的に複数回表示することにより、前記第一の画像と前記第二の画像とが視覚的に重畳された合成画像を表示し、連続的に複数回表示する前記第二の画像の内容および色は、互いに同じである画像表示装置とする。
【００１０】
前記第二の画像は、前記第一の画像に含まれる物体の輪郭を抽出した画像である画像表示装置とすることができる。
【００１２】
前記第二の画像は、赤、緑、青のうち何れか一色のみの画像である画像表示装置とすることができる。
【００１４】
前記第一の画像を連続的に複数回表示した後、そのうち最後に表示した前記第一の画像の一部の領域のみを抽出した前記第二の画像を、最後に表示した前記第一の画像とはタイミングをずらして表示することにより、最後に表示した前記第一の画像と前記第二の画像とが視覚的に重畳された合成画像を表示する画像表示装置とすることができる。
【００１５】
前記画像表示装置は、フィールドシーケンシャル方式の画像表示装置である画像表示装置とすることができる。
【００１６】
前記画像表示装置は、液晶表示装置である画像表示装置とすることができる。
【発明の効果】
【００１７】
本発明によれば、フィールドシーケンシャル方式の画像表示装置においても白黒画像の中に物体の輪郭のみをカラー画像として表示するようなピーキング機能を実現することが可能である。
【図面の簡単な説明】
【００１８】
【図１】本発明の画像表示装置の一実施形態における光源の点灯タイミングと表示される画像との関係を示すタイミングチャート
【図２】従来の画像表示装置における光源の点灯タイミングと表示される画像との関係を示すタイミングチャート
【発明を実施するための形態】
【００１９】
図１は、本発明の画像表示装置の一実施形態における光源の点灯タイミングと表示される画像との関係を示すタイミングチャートである。本発明の画像表示装置の一実施形態は、例えば、反射型の液晶パネルと、その液晶パネルの画像表示領域へ赤（Ｒ）、緑（Ｇ）、青（Ｂ）の各色の光を供給する複数の光源（ＬＥＤ等）とを備え、フィールドシーケンシャル方式により白黒画像すると共に、フィールドシーケンシャル方式によりカラー画像をすることができるように構成されている。
【００２０】
本実施形態において白黒画像を表示する際には（以下、白黒表示モード）、図１中にＦｒａｍｅと表記されているような１フレーム期間において、液晶パネルの画像表示領域内にある各画素へ１フレーム分の画像データを書き込み、それが完了した時点で赤（Ｒ）、緑（Ｇ）、青（Ｂ）の各色の光源を同時に一定期間点灯させて白色光を発光させることにより、１フレーム分の白黒画像を表示し、それと同様の動作を１フレーム単位で繰り返すことにより、互いに連続した一連の白黒画像を表示する。
【００２１】
一方、本実施形態においてカラー画像を表示する際には（以下、カラー表示モード）、図１中にＦｒａｍｅと表記されているような１フレーム期間において、液晶パネルの画像表示領域内にある各画素へ１フレーム分の画像データを書き込み、それが完了した時点で赤（Ｒ）、緑（Ｇ）、青（Ｂ）の各色の光源のうち何れか一つを一定期間点灯させることにより、１フレーム分のカラー画像を表示する。
【００２２】
ここで、図１に示すように、白黒表示モードにおいて一連の白黒画像（Ｆｒａｍｅ１、２）を表示している途中で表示モードを一時的にカラー表示モードへ切り替え、カラー表示モードにおいて、その直前に表示していた白黒画像（Ｆｒａｍｅ２）に含まれる任意の物体の輪郭のみを抽出した画像を１フレーム分の緑色のカラー画像（Ｆｒａｍｅ３）として表示すれば、そのカラー画像（Ｆｒａｍｅ３）と直前に表示していた白黒画像（Ｆｒａｍｅ２）とが視覚的に重畳されることにより、直前に表示していた白黒画像の中に物体の輪郭のみが緑色のカラー画像として表示される合成画像を表示することができる。即ち、白黒画像の中に物体の輪郭のみをカラー画像として表示するピーキング機能を実現することができる。
【００２３】
上述の実施形態において、物体の輪郭を抽出したカラー画像は、点灯させる光源の色を変えることにより、その他の色のカラー画像とすることも可能である。例えば、赤色の光源のみを点灯させれば、赤色のカラー画像とすることができ、青色の光源のみを点灯させれば、青色のカラー画像とすることができ、何れか二つの色の光源を同時に点灯させれば、それらが合成された色のカラー画像とすることができる。
【００２４】
また、物体の輪郭を抽出したカラー画像は、白黒画像を連続的に３回以上表示した後にそのうち最後に表示した白黒画像に含まれる物体の輪郭を抽出したカラー画像としても良く、更に、その場合において、連続的に表示する白黒画像の内容は、互いに同じであっても、互いに異なっていても良い。
【００２５】
また、物体の輪郭を抽出したカラー画像は、互いに同じ内容のものを連続的に複数回表示しても良く、更に、その場合において、連続的に表示するカラー画像の色は、互いに同じであっても、互いに異なっていても良い。
【００２６】
また、物体の輪郭を抽出したカラー画像は、その物体の輪郭が抽出された元の白黒画像を表示する前に表示しても良い。
【００２７】
また、白黒画像の中から抽出する領域は、物体の輪郭に限らず、その他の領域であっても良い。
【００２８】
また、カラー表示モードにおいては、１フレームを複数のサブフレームに分割し、各サブフレーム期間において赤（Ｒ）、緑（Ｇ）、青（Ｂ）の各光源のうち何れか一つを選択的に点灯させ、各サブフレームのカラー画像を互いに視覚的に重畳させれば、１フレーム分の任意の色のカラー画像を表示することも可能である。
【００２９】
また、カラー表示モードにおいて一連のカラー画像を表示し、その途中で表示モードを一時的に白黒表示モードへ切り替え、白黒表示モードにおいて、その直前に表示していたカラー画像に含まれる任意の物体の輪郭のみを抽出した画像を１フレーム分の白黒画像として表示すれば、直前に表示していたカラー画像の中に物体の輪郭のみを白黒画像として表示することも可能である。
【００３０】
また、白黒表示モードにおいて必要とされる白色光は、赤（Ｒ）、緑（Ｇ）、青（Ｂ）の各色の光源とは別に設けた白（Ｗ）の光源により生成しても良い。
【００３１】
本発明は、フィールドシーケンシャル方式の画像表示装置において白黒画像の中に物体の輪郭のみをカラー画像として表示するようなピーキング機能を実現可能とするものであるが、本発明の主旨を逸脱しない範囲においては、フィールドシーケンシャル方式の画像表示装置以外の画像表示装置にも適用することが可能であり、更に、液晶の光変調作用を利用して画像を表示する画像表示装置（液晶表示装置）以外の画像表示装置にも適用することが可能である。
【図１】
0006598482.tif 000002
【図２】
0006598482.tif 000003